(57)【要約】【課題】利用者が実行部に処理を実行させたときの、時間帯ごとの料金を示す情報をその時間帯以外にも閲覧できるようにする。【解決手段】特定部１１３は、時間帯および属性に応じた料金で処理を実行する実行部（画像形成部１６、読取部１７）を利用しようとする利用者と、その利用者の属性と、を特定する。受付部１１２は、利用者から時間帯の指定を受付ける。取得部１１４は、受付けた指定が示す時間帯において特定された属性を有する利用者が、実行部に処理を実行させたときの料金を示す情報を取得する。表示制御部１１５は、取得部１１４が取得した情報を表示部１５に表示させる。【選択図】図１０
2017062708.tif 000002
【特許請求の範囲】
【請求項１】
利用者と、該利用者の属性と、を特定する特定部と、
利用者から時間帯の指定を受付ける受付部と、
利用者が、時間帯および属性に応じた料金で処理を実行する実行部に処理を実行させたときの料金を示す情報を表示部に表示させる表示制御部と、
を有する制御装置。
【請求項２】
前記料金を示す情報を記憶する記憶部を有し、
前記表示制御部は、
前記記憶部が情報を記憶していない場合に、サーバ装置から前記情報を取得して表示し、
前記記憶部が情報を記憶していて、かつ、該情報よりも新しい情報が前記サーバ装置に存在する場合に、該サーバ装置から該新しい情報を取得して表示する
ことを特徴とする請求項１に記載の制御装置。
【請求項３】
前記料金を示す情報を複数の時間帯ごとに比較して各時間帯を評価する評価部を有し、
前記表示制御部は、前記評価部による評価に応じた順序、色、または大きさで、該複数の時間帯を前記表示部に表示させる
ことを特徴とする請求項１または２に記載の制御装置。
【請求項４】
前記受付部は、前記利用者から前記実行部に実行させる処理の指定を受付け、
前記評価部は、前記受付部が受付けた指定に示される処理に応じて、前記各時間帯を評価する
ことを特徴とする請求項３に記載の制御装置。
【請求項５】
利用者と、該利用者の属性と、を特定する特定部と、
利用者から時間帯の指定を受付ける受付部と、
利用者の指示で、媒体に画像を形成する処理、または媒体に形成された画像を読取る処理を実行する実行部と、
前記受付けた指定が示す時間帯において前記特定された属性を有する利用者が、前記実行部に処理を実行させたときの料金を示す情報を表示部に表示させる表示制御部と、
を有する画像処理装置。
【請求項６】
コンピュータを、
利用者と、該利用者の属性と、を特定する特定部と、
利用者から時間帯の指定を受付ける受付部と、
利用者が、時間帯および属性に応じた料金で処理を実行する実行部に処理を実行させたときの料金を示す情報を表示部に表示させる表示制御部
として機能させるためのプログラム。
【発明の詳細な説明】
【技術分野】
【０００１】
本発明は、制御装置、画像処理装置およびプログラムに関する。
【背景技術】
【０００２】
特許文献１には、現在設定されている課金情報として各画像処理サービスの単価をユーザに提示するコピー料金表示画面を有する液晶表示操作部が開示されている（段落２６）。
【先行技術文献】
【特許文献】
【０００３】
【特許文献１】特開２００９−２６７９３８号公報
【発明の概要】
【発明が解決しようとする課題】
【０００４】
本発明は、利用者が実行部に処理を実行させたときの、時間帯ごとの料金を示す情報をその時間帯以外にも閲覧できるようにすることを目的とする。
【課題を解決するための手段】
【０００５】
上述した課題を解決するため、本発明の請求項１に係る制御装置は、利用者と、該利用者の属性と、を特定する特定部と、利用者から時間帯の指定を受付ける受付部と、利用者が、時間帯および属性に応じた料金で処理を実行する実行部に処理を実行させたときの料金を示す情報を表示部に表示させる表示制御部と、を有する。
【０００６】
本発明の請求項２に係る制御装置は、請求項１に記載の態様において、前記料金を示す情報を記憶する記憶部を有し、前記表示制御部は、前記記憶部が情報を記憶していない場合に、サーバ装置から前記情報を取得して表示し、前記記憶部が情報を記憶していて、かつ、該情報よりも新しい情報が前記サーバ装置に存在する場合に、該サーバ装置から該新しい情報を取得して表示することを特徴とする。
本発明の請求項３に係る制御装置は、請求項１または２に記載の態様において、前記料金を示す情報を複数の時間帯ごとに比較して各時間帯を評価する評価部を有し、前記表示制御部は、前記評価部による評価に応じた順序、色、または大きさで、該複数の時間帯を前記表示部に表示させることを特徴とする。
本発明の請求項４に係る制御装置は、請求項３に記載の態様において、前記受付部は、前記利用者から前記実行部に実行させる処理の指定を受付け、前記評価部は、前記受付部が受付けた指定に示される処理に応じて、前記各時間帯を評価することを特徴とする。
本発明の請求項５に係る画像処理装置は、利用者と、該利用者の属性と、を特定する特定部と、利用者から時間帯の指定を受付ける受付部と、利用者の指示で、媒体に画像を形成する処理、または媒体に形成された画像を読取る処理を実行する実行部と、前記受付けた指定が示す時間帯において前記特定された属性を有する利用者が、前記実行部に処理を実行させたときの料金を示す情報を表示部に表示させる表示制御部と、を有する。
本発明の請求項６に係るプログラムは、コンピュータを、利用者と、該利用者の属性と、を特定する特定部と、利用者から時間帯の指定を受付ける受付部と、利用者が、時間帯および属性に応じた料金で処理を実行する実行部に処理を実行させたときの料金を示す情報を表示部に表示させる表示制御部として機能させるためのプログラムである。
【発明の効果】
【０００７】
請求項１、５、６に係る発明によれば、利用者が実行部に処理を実行させたときの、時間帯ごとの料金を示す情報をその時間帯以外にも閲覧できる。
請求項２に係る発明によれば、サーバ装置において料金を示す情報が更新されている場合に、更新されたその情報を取得することができる。
請求項３に係る発明によれば、利用者は、料金を示す情報を時間帯ごとに比較した結果に応じた順序、色、大きさでそれらの時間帯を閲覧することができる。
請求項４に係る発明によれば、利用者は、指定した処理を実行させたときの料金を示す情報を時間帯ごとに比較した結果に応じた順序、色、大きさでそれらの時間帯を閲覧することができる。
【図面の簡単な説明】
【０００８】
【図１】本実施形態に係る画像処理システム９の全体構成を示す図
【図２】決済サーバ２の構成を示す図
【図３】残高ＤＢ２２１の一例を示す図
【図４】料金情報サーバ５の構成を示す図
【図５】料金ＤＢ５２１の一例を示す図
【図６】画像処理装置１の構成を示す図
【図７】利用者ＤＢ１２１の一例を示す図
【図８】装置ＤＢ１２２の一例を示す図
【図９】料金ＤＢ１２３の一例を示す図
【図１０】画像処理装置１の機能的構成を示す図
【図１１】画像処理装置１の料金の情報に必要な更新をするまでの動作を示すフロー図
【図１２】画像処理装置１が時間帯の指定を受付けたときの動作を示すフロー図
【図１３】表示部１５に表示される料金表の一例を示す図
【発明を実施するための形態】
【０００９】
１．実施形態
１−１．画像処理システムの全体構成
図１は、本実施形態に係る画像処理システム９の全体構成を示す図である。図１に示すように、画像処理システム９は、複数の画像処理装置１と決済サーバ２と通信回線３と料金情報サーバ５とを有する。通信回線３は、画像処理装置１と決済サーバ２とで遣り取りされる通信を中継する公衆用の回線であり、例えばインターネットである。なお、通信回線３には公衆用の回線ではなく、専用回線を用いてもよい。
【００１０】
画像処理装置１は、利用する時間帯および利用者の属性に応じた料金で処理を実行する実行部を利用者に利用させる装置である。実行部は、画像を形成する処理や、媒体に形成された画像を読取る処理などを実行する。この処理に対して利用者に請求される料金は、処理が実行される（または指定される）時間帯と、利用者の属性とによって変化する。
【００１１】
画像処理装置１には、画像処理装置１において実行される処理の料金を精算するための精算機４が接続されていてもよい。なお、画像処理システム９は、複数の決済サーバ２を有していてもよく、また、決済サーバ２を有していなくてもよい。画像処理システム９が決済サーバ２を有していない場合、利用者は例えば画像処理装置１に接続された精算機４を用いて料金の精算をすればよい。
【００１２】
精算機４は、利用者からの料金の徴収を行うとともに、精算の状況を示す情報を画像処理装置１と遣り取りする装置である。精算機４は、例えば現金により料金を徴収するコインメックである。また、精算機４は、磁気カードを介して料金を徴収する磁気カードリーダライタであってもよく、ＩＣ（Integrated Circuit）カードを介して料金を徴収するＩＣカードリーダライタであってもよい。画像処理装置１は、精算機４における料金の精算の状況に応じて処理を実行する。
【００１３】
１−２．決済サーバの構成
図２は、決済サーバ２の構成を示す図である。決済サーバ２は、画像処理装置１に処理を実行させる利用者からその処理の料金を徴収するサーバ装置である。制御部２１は、ＣＰＵ（Central Processing Unit）、ＲＯＭ（Read Only Memory）、ＲＡＭ（Random Access Memory）を有し、ＣＰＵがＲＯＭや記憶部２２に記憶されているコンピュータプログラム（以下、単にプログラムという）を読み出して実行することにより決済サーバ２の各部を制御する。
【００１４】
通信部２３は、全銀協（全国銀行協会）ネットワークやＣＡＦＩＳ（Credit And Finance Information System）網などの各種の金融ネットワークを介して画像処理装置１と通信するインターフェイスである。
【００１５】
記憶部２２はハードディスクドライブ等の大容量の記憶手段であり、制御部２１のＣＰＵに読み込まれるプログラムを記憶している。
また、記憶部２２には、残高ＤＢ２２１が記憶される。残高ＤＢ２２１は、利用者の資産である預金残高をその利用者の利用者ＩＤごとに記憶するデータベースである。図３は、残高ＤＢ２２１の一例を示す図である。例えば、同図に示す残高ＤＢ２２１において、利用者ＩＤ「Ｕ１」の利用者は、「２，０００円」の残高を有しており、利用者ＩＤ「Ｕ２」の利用者は、「１０，０００，０００円」の残高を有している。
【００１６】
制御部２１は、画像処理装置１からの依頼を受付けて記憶部２２に記憶された残高ＤＢ２２１を書き換えることで決済を行う。例えば、残高ＤＢ２２１には、画像処理装置１の所有者の識別情報を利用者ＩＤとして、その預金残高と対応付けて記憶している。利用者が画像処理装置１に処理を実行させると、画像処理装置１はその処理の料金を示す情報を決済サーバ２に送信する。制御部２１は、料金を示す情報を受取るとこれに応じて、上述した利用者の残高からその料金を減じ、画像処理装置１の所有者の残高に加える。
【００１７】
１−３．料金情報サーバの構成
図４は、料金情報サーバ５の構成を示す図である。料金情報サーバ５は、画像処理装置１の要求に応じて、画像処理装置１で実行される処理の料金の情報を提供するサーバ装置である。制御部５１は、ＣＰＵ、ＲＯＭ、ＲＡＭを有し、ＣＰＵがＲＯＭや記憶部５２に記憶されているプログラムを読み出して実行することにより料金情報サーバ５の各部を制御する。通信部５３は、通信回線３を介して他の画像処理装置１と通信するインターフェイスである。
【００１８】
記憶部５２はハードディスクドライブ等の大容量の記憶手段であり、制御部５１のＣＰＵに読み込まれるプログラムを記憶している。また、記憶部５２は、画像処理装置１で実行される処理の料金の情報を、利用者の属性ごと、および処理が実行される時間帯ごとに記述した料金ＤＢ５２１を記憶する。
【００１９】
図５は、料金ＤＢ５２１の一例を示す図である。料金ＤＢ５２１は、属性リスト５２１１、時間帯リスト５２１２、および料金表５２１３を有するデータベースである。属性リスト５２１１は、利用者の属性を列挙したリストである。画像処理装置１に実行させた処理の料金は、その処理を指示した利用者の属性ごとにそれぞれ決められている。
【００２０】
「属性」は、利用者の地位、階級、国籍等の社会的特徴、有する資格や専門性等の能力的特徴、年齢、性別、身長、体重等の身体的特徴等ごとに設定され、例えば「Ａ学部の学生」「Ｂ学部の学生」「教職員」などであり、学生に比べて教職員に課される料金は安いか、無料に設定されている。「更新時刻」は、「属性」それぞれに対応付けて記述されている。料金ＤＢ５２１において料金の情報は、利用者の属性ごとに更新され、「更新時刻」には、その更新された時刻が記述される。料金ＤＢ５２１に対する更新は、図示しない操作部や、通信回線３を介した図示しない情報端末などからの指示により行われる。
【００２１】
また、料金ＤＢ５２１では、時間帯ごとに料金を設定している。時間帯リスト５２１２は、ある属性の利用者について異なる料金が設定された複数の時間帯を列挙したリストである。例えば、「Ａ学部の学生」に対しては一日が「０：００〜７：００」、「７：００〜１０：００」、「１０：００〜１６：００」、および「１６：００〜２４：００」の４つの時間帯に区分されている。なお、この区分は、全ての属性に共通であってもよい。
【００２２】
料金表５２１３は、ある属性の利用者がある時間帯に処理を実行させたときの、その処理内容ごとの料金を記述した表である。利用者が指示する処理は、例えば媒体に画像を形成する処理の場合、用紙などの媒体のサイズや、形成する画像で用いる現像剤の色数などによって様々な態様がある。料金表５２１３は、これらの組合せに応じて料金を記述している。例えば、属性「Ａ学部の学生」の利用者が時間帯「７：００〜１０：００」に、サイズ「Ｌ」の用紙に、「フルカラー」の画像を形成させると、図５に示す例では１枚あたり５０円の料金が発生する。
【００２３】
１−４．画像処理装置の構成
図６は、画像処理装置１の構成を示す図である。制御部１１は、ＣＰＵ、ＲＯＭ、ＲＡＭを有し、ＣＰＵがＲＯＭや記憶部１２に記憶されているプログラムを読み出して実行することにより画像処理装置１の各部を制御する。制御部１１は、本発明に係る「制御装置」の一例である。
【００２４】
通信部１３は、通信回線３を介して料金情報サーバ５と通信するインターフェイスである第１通信部１３１と、精算機４や決済サーバ２などと通信するインターフェイスである第２通信部１３２とを有する。
【００２５】
操作部１４は、各種の指示をするための操作ボタン等の操作子を備えており、利用者による操作を受付けてその操作内容に応じた信号を制御部１１に供給する。
また、操作部１４は、例えば、ＩＳＯ／ＩＥＣ１８０９２規格などに則った非接触式ＩＣカードが送信する情報を読取るＩＣカードリーダ１４１と、利用者の指などの指示体が接触した位置を検出してその利用者の指示を特定するタッチパネル１４２とを有する。
【００２６】
表示部１５は、液晶ディスプレイを有しており、制御部１１が指示した各種の情報などを表示する。表示部１５には、上述したタッチパネル１４２が重ねて配置されてもよい。この場合、タッチパネル１４２は、表示部１５の液晶ディスプレイで表示された画像が利用者から見えるように透明な素材で構成される。
【００２７】
画像形成部１６は、例えば電子写真方式の印刷装置であり、制御部１１の制御の下、用紙などの媒体に画像を形成する。画像形成部１６は、本発明に係る「実行部」の一例である。
【００２８】
読取部１７は、例えば光学式のスキャナ装置であり、制御部１１の制御の下、用紙などの媒体に形成された画像を読取る。読取部１７は、本発明に係る「実行部」の一例である。
【００２９】
記憶部１２はハードディスクドライブ等の大容量の記憶手段であり、制御部１１のＣＰＵに読み込まれるプログラムを記憶している。また、記憶部１２は、利用者ＤＢ１２１、装置ＤＢ１２２、および料金ＤＢ１２３を記憶する。
【００３０】
図７は、利用者ＤＢ１２１の一例を示す図である。利用者ＤＢ１２１は、利用者の識別情報を示す利用者ＩＤと、その利用者の属性と、その利用者の認証に用いられる認証情報とが対応付けて記述されたデータベースである。
【００３１】
図８は、装置ＤＢ１２２の一例を示す図である。装置ＤＢ１２２は、複数の画像処理装置１にそれぞれ割当てられた識別情報である装置ＩＤと、その装置ＩＤで識別される画像処理装置１が属するグループの識別情報であるグループＩＤとが対応付けて記述されたデータベースである。
【００３２】
図９は、料金ＤＢ１２３の一例を示す図である。料金ＤＢ１２３は、上述した料金情報サーバ５の記憶部５２が記憶する料金ＤＢ５２１と共通の構成を有し、属性リスト５２１１、時間帯リスト５２１２、および料金表５２１３にそれぞれ対応する、属性リスト１２３１、時間帯リスト１２３２、および料金表１２３３を有するデータベースである。制御部１１または制御部５１は、例えば、ある属性に対応する更新時刻について、記憶部１２の料金ＤＢ１２３に記述された情報と、料金情報サーバ５の記憶部５２の料金ＤＢ５２１に記述された情報とを比較する。
【００３３】
そして、料金ＤＢ５２１に記述された更新時刻が、料金ＤＢ１２３に記述された更新時刻よりも新しい場合に、制御部１１は、料金ＤＢ５２１における上述した属性に対応する時間帯リスト５２１２と、この時間帯リスト５２１２に記述された各時間帯に対応する複数の料金表５２１３を料金情報サーバ５から取得し、取得したこれらのデータを用いて料金ＤＢ１２３を更新する。
【００３４】
このとき、属性リスト１２３１に記述される更新時刻は、属性リスト５２１１に記述された対応する更新時刻そのものであってもよいし、料金ＤＢ１２３の更新が行われた時刻であってもよい。要するに、この更新処理の後、料金ＤＢ５２１が更新されるまでは、料金ＤＢ５２１に記述された更新時刻が、料金ＤＢ１２３に記述された更新時刻よりも新しくなければよい。
【００３５】
１−５．画像処理装置の機能的構成
図１０は、画像処理装置１の機能的構成を示す図である。画像処理装置１の制御部１１は、記憶部１２に記憶されたプログラムを実行することにより、認証部１１１、受付部１１２、特定部１１３、取得部１１４および表示制御部１１５として機能する。
【００３６】
ＩＣカードリーダ１４１は利用者の所有するＩＣカードからその利用者の利用者ＩＤと認証情報とを読取る。認証部１１１は、ＩＣカードリーダ１４１が読取った利用者ＩＤと認証情報との組と、利用者ＤＢ１２１に記述された利用者ＩＤと認証情報との組とを比較して、上述した利用者が本人であるか否かを確認する認証処理を行う。
【００３７】
特定部１１３は、認証部１１１により本人（正規の利用者）であると確認された利用者の利用者ＩＤと、この利用者の属性とを、利用者ＤＢ１２１を参照して特定する。
受付部１１２は、特定部１１３に利用者ＩＤを特定された利用者からタッチパネル１４２を介して時間帯の指定を受付ける。
【００３８】
取得部１１４は、料金ＤＢ１２３を参照し、受付部１１２が受付けた指定が示す時間帯において、特定部１１３により特定された属性を有する利用者が、画像形成部１６や読取部１７（実行部）に処理を実行させたときの料金を示す情報を取得する。また、取得部１１４は、通信部１３を介して料金情報サーバ５と接続し、参照した料金ＤＢ１２３のうち、特定部１１３により特定された属性を有する利用者に対する料金の情報が、料金情報サーバ５における対応する情報よりも古くなっている場合に、料金情報サーバ５から新しい料金の情報を取得する。
【００３９】
表示制御部１１５は、取得部１１４が取得した情報を表示部１５に表示させる。なお、表示制御部１１５は、上述した取得部１１４を包含したものであってもよい。すなわち、表示制御部１１５は、利用者が、時間帯および属性に応じた料金で処理を実行する実行部に処理を実行させたときの料金を示す情報を表示部に表示させるものであればよい。
【００４０】
１−６．画像処理装置の動作
画像処理装置１の動作について説明する。図１１は、画像処理装置１の利用者に対応付けられた料金の情報に必要な更新をするまでの動作を示すフロー図である。利用者が自分のＩＣカードをＩＣカードリーダ１４１にかざすと操作部１４は、ＩＣカードリーダ１４１が読取った利用者ＩＤと認証情報とを制御部１１に伝える。画像処理装置１の制御部１１は、ＩＣカードリーダ１４１が読取った利用者ＩＤと認証情報との組を、利用者ＤＢ１２１に記述された利用者ＩＤと認証情報との組と比較することにより、この利用者を認証する（ステップＳ１０１）。
【００４１】
制御部１１は、認証により正規の利用者であると判断された利用者の利用者ＩＤを利用者ＤＢ１２１から検索してこの利用者の属性を特定する（ステップＳ１０２）。そして、制御部１１は、料金ＤＢ１２３を参照し、特定した属性の料金情報を記憶しているか否か判断する（ステップＳ１０３）。特定した属性の料金情報を記憶していないと判断する場合（ステップＳ１０３；ＮＯ）、制御部１１は処理をステップＳ１０６（後述）に進め、料金情報サーバ５から料金情報を取得する。
【００４２】
一方、特定した属性の料金情報を記憶していると判断する場合（ステップＳ１０３；ＹＥＳ）、その属性に対応付けて記述された更新時刻を、通信回線３を介して料金情報サーバ５に送信し、料金情報サーバ５の料金ＤＢ５２１において、この属性に対応付けて、送信した更新時刻よりも新しい更新時刻が記述された料金情報を保持しているか否かを問合せる（ステップＳ１０４）。
【００４３】
制御部１１は、料金情報サーバ５から問合せに対する回答を受取る。そして、この回答に基づいて、料金ＤＢ１２３よりも新しい料金情報を料金情報サーバ５が保持しているか否かを判断する（ステップＳ１０５）。
【００４４】
料金情報サーバ５が料金ＤＢ１２３よりも新しい料金情報を保持していないと判断する場合（ステップＳ１０５；ＮＯ）、制御部１１は処理を終了する。一方、料金情報サーバ５が料金ＤＢ１２３よりも新しい料金情報を保持していると判断する場合（ステップＳ１０５；ＹＥＳ）、制御部１１は、料金情報サーバ５から上述した属性に対応する料金情報を取得して料金ＤＢ１２３を更新し（ステップＳ１０６）、処理を終了する。なお、ここでいう「更新」とは、更新の対象である料金情報を料金ＤＢ１２３に記憶していない場合には「新規作成」することである。
【００４５】
図１２は、画像処理装置１が利用者から時間帯の指定を受付けたときの動作を示すフロー図である。制御部１１は、操作部１４のタッチパネル１４２が利用者から時間帯の指定を受付けたか否かを判断する（ステップＳ２０１）。利用者から時間帯の指定を受付けたと判断する場合（ステップＳ２０１；ＹＥＳ）、制御部１１は、料金ＤＢ１２３を参照して、上述した属性の利用者が、指定された時間帯に、画像形成部１６などの実行部に処理を実行させたときの料金表を表示部１５に表示させる（ステップＳ２０２）。
【００４６】
一方、利用者から時間帯の指定を受付けていないと判断する場合（ステップＳ２０１；ＮＯ）、上述した属性の利用者に対して定められている、現在を含む時間帯の料金表を料金ＤＢ１２３から抽出して表示部１５に表示させる（ステップＳ２０３）。
【００４７】
図１３は、表示部１５に表示される料金表の一例を示す図である。図１３（ａ）に示す内容は、Ａ学部の学生である利用者Ｕ１が午前８時に時間帯を指定せずに画像処理装置１の利用を開始したときに表示部１５に表示されるものである。図１３（ｂ）に示す内容は、この利用者Ｕ１が時間帯を指定したときに表示部１５に表示されるものである。
【００４８】
図１２に示すステップＳ２０３において、利用者から時間帯が指定されていないため、画像処理装置１の制御部１１は、表示する料金表の時間帯を、現在を含む時間帯に設定し、料金ＤＢ１２３から料金表を取得する。図１３（ａ）で表示する料金表の時間帯は、午前８時が含まれる「７：００〜１０：００」に設定される。
【００４９】
表示部１５の画面には、領域Ｒ１〜Ｒ５がある。領域Ｒ１には、表示内容を示すタイトルが表示されている。図１３（ａ）では「現在の料金表」という文字列が領域Ｒ１に表示される。
【００５０】
領域Ｒ２には、表示する料金表の時間帯として設定されている時間帯が表示される。ここでは利用者が時間帯を指定せずに画像処理装置１の利用を開始したのが午前８時であるため、午前８時を含む時間帯が選択される。すなわち、領域Ｒ２には「利用料金表／７：００〜１０：００」が表示される。
【００５１】
領域Ｒ３には、領域Ｒ２に表示した時間帯の料金表が表示される。領域Ｒ４には「確認する時間帯をタップして下さい」などといった利用者に時間帯を指定するよう促す文字列が表示される。領域Ｒ５には、利用者が指定可能な時間帯が列挙される。この列挙された時間帯のうち、制御部１１に選択されている時間帯は、色などを異ならせることにより他の時間帯と区別して表示される。
【００５２】
ここで、利用者Ｕ１が「１６：００〜２４：００」の時間帯を指定すると、図１３（ｂ）に示す通り、領域Ｒ１には「指定時間帯の料金表」という文字列が表示される。そして、領域Ｒ２には「利用料金表／１６：００〜２４：００」が表示され、領域Ｒ３には、この領域Ｒ２に表示した時間帯の料金表が表示される。また、領域Ｒ５において、選択されている時間帯は、「７：００〜１０：００」から「１６：００〜２４：００」に変化したことが、その色によって表現される。
【００５３】
この構成により、利用者が実行部に処理を実行させたときの、時間帯ごとの料金を示す情報は、利用者の操作によりその時間帯以外にも閲覧される。
【００５４】
２．変形例
以上が実施形態の説明であるが、この実施形態の内容は以下のように変形し得る。また、以下の変形例を組み合わせてもよい。
【００５５】
２−１．変形例１
上述した実施形態において、制御部１１は、料金ＤＢ１２３を参照し、特定した属性の料金情報を記憶しているか否か判断していたが、記憶部１２は料金ＤＢ１２３を記憶していなくてもよい。この場合、制御部１１は、利用者の属性を特定する度に、料金情報サーバ５から料金情報を取得してもよい。
【００５６】
２−２．変形例２
上述した実施形態において、領域Ｒ５には利用者が指定可能な時間帯が時間順に列挙されていたが、各時間帯は、利用者の目的に沿って並べ替えられていてもよい。この場合、制御部１１は、図１０に破線で示す評価部１１６として機能してもよい。この評価部１１６は、料金表を複数の時間帯ごとに比較して決められた基準に基づき各時間帯を評価する。
【００５７】
例えば、評価部１１６は、料金表に記載された料金の平均値を時間帯ごとに比較し、表示制御部１１５は、その平均値の安い方から順に対応する時間帯を並べ替えてもよい。図１３（ａ）に示す例では「７：００〜１０：００」の時間帯の料金表は５０円、３０円、２０円、２０円、１０円、１０円の６つの価格を示しているので、これらの相加平均値は約２３．３円である。一方、図１３（ｂ）に示す例では「１６：００〜２４：００」の時間帯の料金表は４５円、２５円、１５円、１５円、７円、１５円の６つの価格を示しているので、これらの相加平均値は約２０．３円である。したがって、評価部１１６は、「７：００〜１０：００」よりも「１６：００〜２４：００」を上位に配置するように時間帯を並べ替える。
【００５８】
この構成によれば、平均価格が安いものほど上位に表示されるので、利用者はどの時間帯に画像処理装置１を利用した場合に費用が抑えられるかを、全ての料金表を見て比較しなくても把握することができる。
【００５９】
なお、上述したように評価の結果は表示制御部１１５が行う時間帯の並べ替えに反映されてもよいが、時間帯の並べ替えに反映させずに、例えば、時間帯を表示する文字やボタンの色や、大きさ、明るさ、点滅速度などにより利用者が把握できるように反映されてもよい。
【００６０】
また、表示制御部１１５は、最も料金が安くなる時間帯のみを他の時間帯と区別して表示部１５に表示させてもよい。また、表示制御部１１５は、評価された時間帯を安い順に並べ替えたが高い順に並べ替えてもよい。要するに、時間帯ごとの評価が利用者に把握されればよい。
【００６１】
２−３．変形例３
変形例２で示した評価部１１６は、利用者から受付けた処理の指定に応じて各時間帯を評価してもよい。例えば、評価部１１６は、指定された処理を画像処理装置１の実行部（画像形成部１６または読取部１７）に実行させたときの料金を時間帯ごとに比較し、表示制御部１１５は、その料金の安い方から順に対応する時間帯を並べ替えてもよい。
【００６２】
利用者がサイズＬの用紙にフルカラーの画像を形成させる旨の指定をした場合、この指定に沿った処理を「７：００〜１０：００」の時間帯に実行させると、図１３（ａ）に示す例では料金が５０円となる。一方、この指定に沿った処理を「１６：００〜２４：００」の時間帯に実行させると、図１３（ｂ）に示す例では料金が４５円となる。したがって、「サイズＬの用紙にフルカラーの画像を形成させる」と指定された場合では、評価部１１６は、「７：００〜１０：００」よりも「１６：００〜２４：００」を上位に配置するように時間帯を並べ替える。
【００６３】
しかし、利用者がサイズＬ、Ｓのいずれでもないその他の用紙に、白黒の画像を形成させる旨の指定をした場合、料金は「７：００〜１０：００」の時間帯で１０円となるが、「１６：００〜２４：００」の時間帯で１５円となる。したがって、「その他の用紙に白黒の画像を形成させる」と指定された場合では、評価部１１６は、「７：００〜１０：００」よりも「１６：００〜２４：００」を下位に配置するように時間帯を並べ替える。
【００６４】
この構成によれば、指定した処理の内容に応じて時間帯の評価が変化する場合にも、利用者は各時間帯に対する評価を把握する。
【００６５】
２−４．変形例４
料金情報サーバ５の記憶部５２は、利用者の属性ごと、処理が実行される時間帯ごと、および、画像処理装置１が属するグループごとに、画像処理装置１で実行される処理の料金の情報を記述した料金ＤＢ５２１を記憶していてもよい。この場合、取得部１１４は、記憶部１２に記憶されている自装置の装置ＩＤを読み出して、装置ＤＢ１２２からこの装置ＩＤに対応付けられたグループＩＤを取得し、通信部１３を介して、料金ＤＢ５２１においてこのグループＩＤに対応付けられている情報の更新日時と、料金ＤＢ１２３の対応する情報の更新日時とを料金情報サーバ５に比較するように要求してもよい。その結果、料金ＤＢ５２１に記憶されている情報の方が、料金ＤＢ１２３よりも新しい場合には、取得部１１４は、新しいその情報を料金情報サーバ５から取得すればよい。
【００６６】
２−５．変形例５
画像処理装置１は、画像形成部１６を有していたが、外部の画像形成部と接続する構成であってもよい。この場合、画像処理システム９は、画像処理装置１に代えて画像形成部を有しない情報処理装置（制御装置）で構成されていてもよい。
【００６７】
また、この情報処理装置が接続する外部の装置は、画像形成部に限られるものではなく、情報処理装置の制御の下で何らかの処理を行うものであればよい。
【００６８】
２−６．変形例６
画像処理装置１の制御部１１によって実行されるプログラムは、磁気テープや磁気ディスクなどの磁気記録媒体、光ディスクなどの光記録媒体、光磁気記録媒体、半導体メモリなどの、コンピュータ装置が読み取り可能な記録媒体に記憶された状態で提供し得る。また、このプログラムを、インターネットなどを経由してダウンロードさせることも可能である。なお、上記の制御部１１によって例示した制御手段としてはＣＰＵ以外にも種々の装置が適用される場合があり、例えば、専用のプロセッサなどが用いられる。
【符号の説明】
【００６９】
１…画像処理装置、１１…制御部、１１１…認証部、１１２…受付部、１１３…特定部、１１４…取得部、１１５…表示制御部、１２…記憶部、１２１…利用者ＤＢ、１２２…装置ＤＢ、１２３…料金ＤＢ、１２３１…属性リスト、１２３２…時間帯リスト、１２３３…料金表、１３…通信部、１３１…第１通信部、１３２…第２通信部、１４…操作部、１４１…ＩＣカードリーダ、１４２…タッチパネル、１５…表示部、１６…画像形成部、１７…読取部、２…決済サーバ、２１…制御部、２２…記憶部、２２１…残高ＤＢ、２３…通信部、３…通信回線、４…精算機、５…料金情報サーバ、５１…制御部、５２…記憶部、５２１…料金ＤＢ、５２１１…属性リスト、５２１２…時間帯リスト、５２１３…料金表、５３…通信部、９…画像処理システム
【図１】
2017062708.tif 000003
【図２】
2017062708.tif 000004
【図３】
2017062708.tif 000005
【図４】
2017062708.tif 000006
【図５】
2017062708.tif 000007
【図６】
2017062708.tif 000008
【図７】
2017062708.tif 000009
【図８】
2017062708.tif 000010
【図９】
2017062708.tif 000011
【図１０】
2017062708.tif 000012
【図１１】
2017062708.tif 000013
【図１２】
2017062708.tif 000014
【図１３】
2017062708.tif 000015